(57)【要約】【課題】生活習慣病改善支援装置とそれを用いた生活習慣病改善支援システムにより、生活改善が効果的に実行できるようにする。【解決手段】生活習慣病改善支援装置１は、表示部２と、表示部２に接続された制御部３と、制御部３に接続された操作部４、加速度センサ６、メモリー９、ネットワーク通信部１０とを備え、制御部３は操作部４から入力された生体情報及び加速度センサ６から入力された生活習慣情報に基づきその特定個人に対する複数の健康改善メニューを表示部２に表示させるとともに、これら複数の健康改善メニュー中にこの個人にとって非推薦となる非推薦健康改善メニューが存在する場合には、非推薦健康改善メニューを、非推薦健康改善メニュー表示とする構成とした。【選択図】図１８
2015026364.tif 000002
【特許請求の範囲】
【請求項１】
表示部と、
前記表示部に接続された制御部と、
前記制御部に接続された入力部、状態確認部、メモリー、ネットワーク通信部とを備え、
前記制御部は前記入力部から入力された生体情報及び前記状態確認部から入力された生活習慣情報に基づき特定個人に対する複数の健康改善メニューを前記表示部に表示させるとともに、前記特定個人に関連するデータに基づいて前記複数の健康改善メニュー中に前記特定個人にとって非推薦となる非推薦健康改善メニューが存在する場合には、当該非推薦健康改善メニューを、非推薦健康改善メニュー表示とする構成とした生活習慣病改善支援装置。
【請求項２】
前記健康改善メニューは、前記特定個人に関連するデータ及び前記特定個人の生体情報に関する目標値から決定される請求項１に記載の生活習慣病改善支援装置。
【請求項３】
前記制御部は生活習慣改善項目の入力を受け付け、
前記健康改善メニューは、前記生活習慣改善項目において前記目標値を達成できるメニューである請求項２に記載の生活習慣病改善支援装置。
【請求項４】
前記制御部は目標日付の入力を受け付け、
前記健康改善メニューは、前記目標日付までに前記目標値を達成できるメニューである請求項２に記載の生活習慣病改善支援装置。
【請求項５】
前記生活習慣病改善支援装置はメモリーと接続可能に構成され、
前記特定個人に関連するデータは前記メモリーに保存される請求項１から４のいずれか１項に記載の生活習慣病改善支援装置。
【請求項６】
前記状態確認部は、カメラ、加速度センサ、マイクの少なくとも一つから構成された請求項１から５のいずれか１項に記載の生活習慣病改善支援装置。
【請求項７】
前記制御部は前記入力部により前記表示部に表示された前記健康改善メニューを選択すると、前記表示部に生活改善行動と代替生活改善行動を表示させる構成とした請求項１から６のいずれか１項に記載の生活習慣病改善支援装置。
【請求項８】
請求項１から７のいずれか１項に記載の生活習慣病改善支援装置と、
前記生活習慣病改善支援装置のネットワーク通信部を介して接続されるサーバとを備えた生活習慣病改善支援システム。
【発明の詳細な説明】
【技術分野】
【０００１】
本発明は、高血圧症や脳卒中や糖尿病などの生活習慣病を改善するための生活習慣病改善支援装置とそれを用いた生活習慣病改善支援システムに関するものである。
【背景技術】
【０００２】
従来のこの種生活習慣病改善支援装置とそれを用いた生活習慣病改善支援システムは、表示部と、この表示部に接続された制御部と、この制御部に接続された入力部、状態確認部、メモリー、ネットワーク通信部とを備えた構成となっていた（これに類似する先行文献としては例えば下記特許文献１）。
【先行技術文献】
【特許文献】
【０００３】
【特許文献１】特開２００１−２８６４４６号公報
【発明の概要】
【発明が解決しようとする課題】
【０００４】
すなわち従来の生活習慣病改善支援装置とそれを用いた生活習慣病改善支援システムは、入力部から個人の生体情報を入力すると表示部にはその改善のための健康改善メニュー、例えば「１日１００００歩あるきなさい」と表示がなされるようになっている。また、状態確認部によりその日の歩数が測定されるので、前記健康改善メニューに対する過不足状態も表示されるようになっている。
【０００５】
従って、個人としては、この目標に対する取り組みをひたすら実行することを心がけるものになる。
【０００６】
しかしながら、このように提示された健康改善メニューがその個人にとって取り組み難い内容である場合、結論として長続きせず、生活改善が効果的に実行できなかった。
【０００７】
そこで本発明は、生活改善が効果的に実行できるようにすることを目的とするものである。
【課題を解決するための手段】
【０００８】
そしてこの目的を達成するために本発明は、表示部と、前記表示部に接続された制御部と、前記制御部に接続された入力部、状態確認部、メモリー、ネットワーク通信部とを備え、前記制御部は前記入力部から入力された生体情報及び前記状態確認部から入力された生活習慣情報に基づきその特定個人に対する複数の健康改善メニューを前記表示部に表示させるとともに、これら複数の健康改善メニュー中にこの個人にとって非推薦となる非推薦健康改善メニューが存在する場合には、当該非推薦健康改善メニューを、非推薦健康改善メニュー表示とする構成とするものである。
【発明の効果】
【０００９】
本発明においては、複数の健康改善メニュー中に前述の個人にとって非推薦となる健康改善メニューが存在する場合には、当該非推薦健康改善メニューを、非推薦健康改善メニュー表示とする。したがって、その個人にとって取り組み難い健康改善メニューが選択されることはなく、その結果として生活改善が効果的に実行できるようになるのである。
【図面の簡単な説明】
【００１０】
【図１】本発明の一実施形態に係る生活習慣病改善支援システムを示す制御ブロック図
【図２】同生活習慣病改善支援システムに用いられる生活習慣支援装置の正面図
【図３】同生活習慣病改善支援システムに用いられる生活習慣支援装置の正面図
【図４】同生活習慣病改善支援システムに用いられる生活習慣支援装置の正面図
【図５】同生活習慣病改善支援システムに用いられる生活習慣支援装置の正面図
【図６】同生活習慣病改善支援システムに用いられる生活習慣支援装置の正面図
【図７】同生活習慣病改善支援システムに用いられる生活習慣支援装置の正面図
【図８】同生活習慣病改善支援システムに用いられる生活習慣支援装置の正面図
【図９】同生活習慣病改善支援システムに用いられる生活習慣支援装置の正面図
【図１０】同生活習慣病改善支援システムに用いられる生活習慣支援装置の正面図
【図１１】同生活習慣病改善支援システムに用いられる生活習慣支援装置の正面図
【図１２】同生活習慣病改善支援システムに用いられる生活習慣支援装置の正面図
【図１３】同生活習慣病改善支援システムに用いられる生活習慣支援装置の正面図
【図１４】同生活習慣病改善支援システムに用いられる生活習慣支援装置の正面図
【図１５】同生活習慣病改善支援システムに用いられる生活習慣支援装置の正面図
【図１６】同生活習慣病改善支援システムに用いられる生活習慣支援装置の正面図
【図１７】同生活習慣病改善支援システムに用いられる生活習慣支援装置の正面図
【図１８】同生活習慣病改善支援システムに用いられる生活習慣支援装置の正面図
【図１９】同生活習慣病改善支援システムに用いられる生活習慣支援装置の正面図
【図２０】同生活習慣病改善支援システムに用いられる生活習慣支援装置の正面図
【図２１】同生活習慣病改善支援システムに用いられる生活習慣支援装置の正面図
【図２２】同生活習慣病改善支援システムに用いられる生活習慣支援装置の正面図
【図２３】同生活習慣病改善支援システムに用いられる生活習慣支援装置の正面図
【図２４】同生活習慣病改善支援システムに用いられる生活習慣支援装置の正面図
【図２５】同生活習慣病改善支援システムに用いられる生活習慣支援装置の動作フローチャート
【図２６】同生活習慣病改善支援システムに用いられる生活習慣支援装置の動作フローチャート
【図２７】同生活習慣病改善支援システムに用いられる生活習慣支援装置の動作フローチャート
【図２８】同生活習慣病改善支援システムに用いられる生活習慣支援装置の動作フローチャート
【発明を実施するための形態】
【００１１】
（実施の形態１）
図１において、生活習慣病改善支援装置１は生活習慣病改善支援装置の一例として用いた携帯端末で、この生活習慣病改善支援装置１の表面側には図２に示すごとく表示部２が設けられている。この表示部２は図１に示すごとく制御部３に接続され、この制御部３には入力部の一例として設けた操作部４とカメラ５、加速度センサ６、マイク７、入力部の一例として設けた機器通信部８、メモリー９、ネットワーク通信部１０と、後述する電源スイッチ１８が接続されている。
【００１２】
前記操作部４は具体的には例えば図２に示されるように表示部２内において映像として表示されるものであってそれに触れれば背面側のタッチセンサ（図示せず）が起動し、それにより入力が行われるものである。
【００１３】
また、カメラ５、加速度センサ６、マイク７は状態確認部として設けたものであり、例えばカメラ５は後述する食事内容を撮影し、何を食しているかという状態を確認するためのものである。また、加速度センサ６は後述するように何歩歩いているかという状態を確認するためのものである。更にマイク７は後述するように就寝状態を確認するためのものである。
【００１４】
次に、機器通信部８は例えば体重計や血圧計、心拍数などを外部機器で測定した場合にその外部機器から、例えばブルートゥース（登録商標）などの近距離通信機から送信された測定データを受信するためのものである。また、この機器通信部８を介してカレンダー機能及び時刻機能と接続され、これにより制御部３は現在の日にちと時刻を検出することができるようになっている。これは例えばＧＰＳ機能などによって容易に実現できる機能である。
【００１５】
メモリー９は制御部３の動作プログラムや個人の生体情報などを記憶する部分である。なお、個人の生体情報についてはメモリー９ではなく、制御部３と接続する外部のメモリー（図示せず）に記憶する構成としてもよい。
【００１６】
また、ネットワーク通信部１０はサーバ１１とのネットワーク通信を行うためのものである。
【００１７】
また、サーバ１１は生活習慣病改善支援装置１とネットワーク通信するためのネットワーク通信部１２と、これに接続された制御部１３と、制御部１３に接続されたメモリー１４、操作部１５、通信部１６とを備えている。このサーバ１１の構成は一般的なものであるので説明の煩雑化を避けるためにこれ以上の説明は簡略化するが、通信部１６には更に外部サーバ１７が接続されるようになっている。外部サーバ１７は病院や健診センターなどの医療機関、健康保険組合、リハビリセンターやフィットネスなどの施設で使用されることが考えられる。
【００１８】
以上の構成において、図１において生活習慣病改善支援装置１の電源スイッチ１８を押すと、表示部２には図２に示すごとく生活習慣病改善支援プログラムを起動させるための操作部１９ａが表示される。
【００１９】
この状態でこの操作部１９ａにタッチすると制御部３は生活習慣病改善支援プログラム（メモリー９に格納されている）を起動する（図２５のＳ１）。
【００２０】
すると、制御部３は機器通信部８から得たカレンダーと時刻を参照して今年初めての起動か否かを判定する（図２５のＳ２）。
【００２１】
そして、今年初めての起動状態であれば制御部３は表示部２に生体情報の入力画面を表示させる（図２５のＳ３、Ｓ４）。なお、ここでは今年初めての起動か否かを判定し、今年初めての起動である場合に表示部２に生体情報の入力画面を表示させるとしたが、前回生体情報の入力を行ってから所定の期間が経過したか否かを判定し、所定の期間が経過した場合に表示部２に生体情報の入力画面を表示させるようにしてもよい。
【００２２】
図３は個人の生体情報としての基本データを示し、年齢、性別、身長、体重を入力後、次の画面に移動させるための操作部１９を操作することになる。
【００２３】
すると、制御部３は表示部２に図４に示すバイタルデータを入力させるための表示をさせる。具体的には最高血圧、最低血圧、心拍数が入力されるようになっている。
【００２４】
なお、図３の体重や図４の最高血圧、最低血圧、心拍数は外部機器で測定後、機器通信部８を介して入力されるようにしてもよい。
【００２５】
また、年齢や身長はその部分にタッチすれば数字列が表示されるのでその中で自分のデータに合致するものにタッチすればこの図３のごとく具体的なデータが入力されることになる。
【００２６】
更に、性別についてもそれに対応する部分にタッチすれば入力設定が行えるようになっており、これらの入力方法は周知の技術であるのでこれ以上の説明は簡略化する。
【００２７】
そして、図４のデータが入力された後に操作部１９を操作すれば制御部３は表示部２に図５に示す表示をさせる。
【００２８】
つまり、喫煙の有無、降圧剤の服用有無、高血圧症の親がいるかいないか、またその人数は何人であるかというデータを図３と同じようにタッチ入力し、次に操作部１９を操作することになる。
【００２９】
すると、制御部３は表示部２に図６に示す表示をさせることになる。すなわち、左心室肥大、循環器疾患、心房細動、糖尿病情報を入力するための画面が表示される。
【００３０】
これらの入力もタッチ入力で行われることになるのであるが、糖尿病をタッチした場合には制御部３は表示部２において図７に示す入力も要求することになる。つまり、ＨｂＡ１ｃの値、インスリンの投与の有無、糖尿病の型、罹患歴、人種を入力することになる。その後、図６又は図７において操作部１９を操作すれば、制御部３は表示部２に図８のごとく入力データの確認を求める画面を表示させる（図２５のＳ５）。そしてこの図８においてデータ確認後に完了を示す操作部２０を操作すれば、制御部３はネットワーク通信部１０を介してサーバ１１とデータ通信をすることになる（図２５のＳ６）。
【００３１】
このような生体情報が入力された状態であれば制御部３は表示部２に、生活習慣病に対応するための図９に示すトップメニュー画面を表示する（図２５のＳ７）。
【００３２】
すなわち、制御部３は表示部２に疾病リスク確認キー２１、日常チェック確認キー２２、健康プログラム確認キー２３を表示させることになる。この状態で例えば疾病リスク確認キー２１にタッチすると（図２５のＳ８）、制御部３は表示部２に図１０のような表示をさせる。この図１０について簡単に説明すると、高血圧に対するリスクは４９パーセントとなっており、同年代の平均値よりも高く、右に悪いとの表示も現れている。また、脳卒中についてのリスクは１８パーセントとなっており、同年代とほぼ同じ状態であるので、右に並との表示がでている。更に、網膜症と腎症は糖尿病に関連して発症するものであるが、これらはいずれも同年代の平均値よりも低く、良の状態となっている。従って、この表示を見た個人としては高血圧症に対する改善を図らなければならないと判断することになる。また、表示部２の上から順に発症リスクが高い生活習慣病を表示することにより、いずれの生活習慣病に注意すべきかをわかりやすく表示することもできる。なお、同世代との平均値との差が大きく、悪い順に表示部２の上から表示することにより、注意すべき生活習慣病を促すようにしても構わない。
【００３３】
以上の図１０に示す表示をさせるために制御部３は図２６に示すフローを実行している。まず、制御部３はネットワーク通信部１０を介してサーバ１１に図８で示した個人の基本データを送信する（図２６のＳ１）。すると、サーバ１１は図１の生活習慣病改善支援装置１から送信された図８で示した基本データを基に個人の疾病リスクを算出することになる。なお、疾病リスクを算出するための算出式は、サーバ１１のメモリー１４に予め保存しており、図８で示したデータをパラメータとして計算する。次に、制御部３はサーバ１１で算出された疾病リスクと他の生活習慣病改善支援装置１から同様に得た複数人の基本データ又は測定データから算出した疾病リスクの平均値または外部サーバ１７から送信された同世代のデータなどをネットワーク通信部１０を介して取得し（図２６のＳ２）、次にそれを図１０のごとく表示させる（図２６のＳ３）。ここで、他の生活習慣病改善支援装置１と記載したが、これはサーバ１１が複数の生活習慣病改善支援装置１と接続し、複数の個人の基本データ及び測定データをメモリー１４へ保存している構成とした場合の例である。
【００３４】
なお、疾病リスクの算出はサーバ１１ではなく生活習慣病改善支援装置１で実行してもよい。すなわち、図２５のＳ４で入力した生体情報の基本データはメモリー９へ保存しておき、図２６のＳ１からＳ３の処理は、上述した処理のかわりに、制御部３がメモリー９に保存してある疾病リスクを算出するための計算式及びデータ、個人の基本データを基に制御部３でその個人の疾病リスクを算出し、制御部３はそれを図１０のごとく表示させる処理を行う。なお、生体情報の基本データ、疾病リスクを算出するための計算式及びデータ、個人の基本データ等についてはメモリー９ではなく、制御部３と接続する外部のメモリーに記憶する構成としてもよい。
【００３５】
この図１０にはトップ画面に戻るための操作部２４と、健康プログラムに移行するための操作部２５も表示されているので、まず、操作部２４にタッチすれば（図２６のＳ４）、図２５におけるＳ７に戻り、図９の表示に戻ることになる。
【００３６】
また、操作部２５にタッチすれば（図２６のＳ５）、制御部３は図２８に示すフローへと移行することになる。図２８のフローでは、まず、制御部３は表示部２に図１７に示すコース選択画面を表示させる（図２８のＳ１）。すなわち、表示部２には図１７に示すごとく、健康改善メニューとして選択できる生活習慣改善項目が表示されている。具体的には、生活習慣改善項目として食事コースを選択するための操作部２６、運動コースを選択するための操作部２７、睡眠コースを選択するための操作部２８が表示されている。
【００３７】
この状態で操作部２７にタッチすると（図２８のＳ２）、制御部３はネットワーク通信部１０を介してサーバ１１に運動コースが選択されたことを送信することになる。すると、サーバ１１は、個人の生体情報に関する目標値（例えば平均値）までリスクを低減するために必要なパラメータを図２６のフローにおいて疾患リスクを算出した算出式を逆算して算出する（図２８のＳ３）。この目標値は疾患の発症リスクが一番高い、すなわち最も状態の悪い疾患の発症リスクを平均値まで下げることとし、自動で設定される。
【００３８】
なお、平均値との差が一番大きい疾患リスクを平均値まで下げることを目標値としても構わない。なお、自動で設定ではなく手動で設定できるようにしても構わない。また、このリスクを低減するために必要なパラメータは年齢、性別、身長といった変更が困難な項目ではなく、例えば、体重、血圧、喫煙の有無など変更が可能な項目を抽出し、この抽出した項目について、目標値を達成するために必要な変化量を算出する。
【００３９】
さらに、本人過去データを分析し、各項目とその各項目に作用する生活習慣、例えば、体重という項目と体重に作用する運動量の関係からリスク低減目標が可能か否か又はリスク低減目標を達成するために必要な生活習慣の変化量及び期間を判定し（図２８のＳ４）、その結果をネットワーク通信部１２を介して生活習慣病改善支援装置１に返送することになる。
【００４０】
図２８のＳ３及びＳ４の処理は、具体的には、個人の生体情報と目標値との差分を算出し、本人過去データを参照してその差分を達成しているか否かでまず達成可能な目標か否かを判断する。また、その生体情報の目標を達成した実績がある場合は、その差分を達成したときの生活習慣の変化量と期間を算出する。この期間から目標達成可能な期間を判断する。また、この生活習慣の変化量から、リスク低減目標を達成するための健康改善メニューを決定する。なお、この図２８のＳ３、Ｓ４はサーバ１１において行われるものであるが、その特定の個人の過去のデータが蓄積されていない場合には、図８に示す個人のデータと類似する他人のデータを参照して健康改善メニューを算出することになる。他人のデータはサーバ１１のメモリー１４に保存されている。サーバ１１は複数の生活習慣病改善支援装置１と接続し、複数の個人のデータをメモリー１４へ保存している構成としてもよい。
【００４１】
なお、図２８のＳ３、Ｓ４は生活習慣病改善支援装置１において処理されてもよい。この場合、本人の過去データはメモリー９又は制御部３と接続する外部のメモリーに保存されており、制御部３が図２８のＳ３及びＳ４の処理を行うこととなる。また、複数の他人のデータもメモリー１４へ保存しておいてもよい。
【００４２】
健康改善メニューが決定すると、生活習慣病改善支援装置１の制御部３は、ネットワーク通信部１０を介してサーバ１１からのデータを受付け、その結果として図１８に示すごとく表示部２には１ヶ月コース、３ヶ月コース、６ヶ月コースが選択可能な状態で表示をさせることになる（図２８のＳ５）。なお、１ヶ月コース、３ヶ月コース、６ヶ月コースとはリスク低減目標を達成するために健康改善メニューを実施すべき期間を表すもので、この期間は一例であって１ヶ月、３ヶ月、６ヶ月に限られない。この図１８は、１ヶ月コースを選択するための操作部２８ａ、３ヶ月コースを選択するための操作部２９、６ヶ月コースを選択するための操作部３０が表示されているので、その中から例えば操作部２９にタッチすると（図２８のＳ６）、制御部３は表示部２に図１９に示す表示をさせることになる（図２８のＳ７）。図１９では、図２８のＳ４で算出したリスク低減目標を達成するために必要な生活習慣の変化量のうち、図１７において選択した健康改善メニューのコースに対応する生活習慣に係る健康改善メニューを推薦健康改善メニューとして表示している。すなわち、生活改善行動として平日１３０００歩あるくことが推薦健康改善メニューとして表示されている。また、図２８のＳ４で算出したリスク低減目標を達成するために必要な生活習慣の変化量のうち、図１７において選択していない健康改善メニューのコースに対応する生活習慣に係る健康改善メニューを代替健康改善メニューとして表示している。すなわち、代替健康改善メニューとして食事を２０００ｋｃａｌ以上摂取するのは週１回までとすることや木・金曜日の睡眠時間を７時間以上確保することなどが表示されている。
【００４３】
図１７に戻って説明を続けると、表示部２には３ヶ月を振りかえった状態を確認する操作部３１、１年を振り返った状態を確認する操作部３２が表示されているが、これらはその健康改善メニューを実行したあとで確認するものであり、例えば操作部３１がタッチされると（図２８のＳ８）、制御部３は図２４に示すごとく例えば高血圧症の発症リスクが操作部３１に表示されていた期間（ここでは３ヶ月）においてどのように変化しているかを表示し（図２８のＳ９）、この図２４の、戻るための操作部３３にタッチすると（図２８のＳ１０）、制御部３は図１７に示す表示に戻ることになる。またこの図１７において操作部３２にタッチすると（図２８のＳ１１）、制御部３は図２３に示すごとく例えば高血圧症の発症リスクが操作部３２に表示されていた期間（ここでは１年）においてどのように変化しているかを表示し（図２８のＳ１２）、この図２３の、戻るための操作部３４にタッチすると（図２８のＳ１３）、制御部３は図１７に示す表示に戻ることになる。なお、振り返り期間は３ヶ月及び１年で説明したがこの期間はこれらに限られず、適宜設定してよい。また、ここでの発症リスクは、図２６のフローで説明した予め定められた算出式を用いて計算するが、図２５のＳ３、Ｓ４において得る基本データの中で機器通信部８から得られるデータ、例えば体重計や血圧計、心拍数などは機器通信部８から得られたデータに置き換えて計算する。
【００４４】
次に、図９示す表示がなされた状態（図２５のＳ７）で、日常チェックを行うための日常チェック確認キー２２にタッチすると（図２５のＳ９）、制御部３は表示部２に図１１に示す表示をさせることになる（図２７のＳ１）。この図１１においては、表示部２は今から食べる食事の内容を入力するための操作部３５と、今までの食事履歴を確認するための操作部３６と、運動の今までの運動履歴を確認するための操作部３７と、睡眠の状態を入力するための操作部３８と、今までの睡眠履歴を確認するための操作部３９が表示されている。
【００４５】
例えば、操作部３５にタッチすると（図２７のＳ２）、制御部３は表示部２に図１２に示す表示をさせることになる（図２７のＳ３）。この図１２が表示された状態では例えば図１に示したカメラ５で食事前の食材を撮影し、それをサーバ１１に送信することでサーバ１１側でそのカロリー計算をするようにしたり、あるいは、図１のマイク７をつかって食事内容をサーバ１１側に伝えてサーバ１１側でそのカロリー計算をするようにしたり、或いは手書きでメニューを入力すれば、それがサーバ１１側に伝わり、サーバ１１側でカロリー計算が行われるようにしたりする。なお、これらの入力後には図１２に示す登録のための操作部４０にタッチすることになる。なお、入力されたデータはサーバ１１のメモリー１４にその特定の個人のデータとして格納されることになる。また、サーバ１１側でカロリー計算をするとしたが、メモリー９にカロリー情報を保存しておき、制御部３がこのカロリー情報を参照してカロリー計算を行い、その入力されたデータをメモリー９へ保存し蓄積しても良い。図１２における戻るための操作部４１にタッチすれば図１１に示す表示へと戻ることになる（図２７のＳ３ａ）。
【００４６】
また、この図１１において操作部３６にタッチすると（図２７のＳ４）、制御部３は表示部２に図１３に示す内容を表示させることになる（図２７のＳ５）。すなわち、この図１３では食事に対する２週間のカロリーの記録とその日に食べた食事内容が表示されるようになっている。これを確認後、戻るための操作部４２を操作すると、再び図１１に示す表示へと移行することになる（図２７のＳ６）。図１１において運動の状態を入力する操作部４３は測定中と表示がされているが、これは図１に示す加速度センサ６によってその日に歩いた歩数が自動的に測定されるようになっているので、これは自らが入力するための画面は設定されていない。そこで、操作部３７にタッチすると（図２７のＳ７）、表示部２には図１４に示す表示がなされることになる（図２７のＳ８）。つまり、２週間の歩行実績と本日の歩行状態が確認できる画面となっており、この状態を確認後、戻るための操作部４４にタッチすると（図２７のＳ９）、再び図１１に示す表示がなされることになる。
【００４７】
続いて、この図１１において、操作部３８にタッチすると（図２７のＳ１０）、制御部３は図１５に示す表示を表示させることになる（図２７のＳ１１）。つまり、就寝前に測定を開始させるための操作部４５と起床後に測定を終了させるための操作部４６が表示されることになる。つまり、操作部４５にタッチすれば睡眠状態は図１のマイク７の集音によって測定され、これは操作部４６にタッチされるまで継続される。なお、このようにマイク７をつかって睡眠状態を検出することは一般的なことであるので説明の煩雑化を避けるためこの点に関する説明は簡略化する。
【００４８】
そして、この睡眠測定が完了した後は、戻るための操作部４７にタッチすれば（図２７のＳ１２）、再び図１１の画面へと表示が戻ることになる。そこで、操作部３９にタッチすると（図２７のＳ１３）、制御部３は表示部２に図１６に示す表示をさせることになる（図２７のＳ１４）。この図１６では２週間の睡眠実績と直近の睡眠状態を示したものとなっており、これを確認後、戻るための操作部４８を操作すると（図２７のＳ１５）、表示部２には再び図１１に示す画面が表示されることになる。
【００４９】
このようにして個人的なデータが長らくサーバ１１のメモリー１４に蓄積されると、その個人の特性も判別できることになる。例えば、その個人が１日に最高５０００歩しか歩かない人物であると判断されるときには、例えば、図１９に示すように平日に１３０００歩あるきましょうというプログラムは実現不可能な状態となる。本実施形態における特徴点は既に図２８で説明した健康プログラムの選択部分にある。つまり、図２の状態で健康アプリケーションを起動させるための操作部１９ａにタッチすると制御部３は図９に示すトップ画面を表示することはすでに説明したとおりであるが、この図９において健康プログラムの健康プログラム確認キー２３を選択すると（図２５のＳ１０）、制御部３は図２８に示す動作フローを実行することになる。そして、その実行の結果として制御部３は表示部２に例えば図１７から１９に示す表示を行うようになっている。
【００５０】
今一度、説明すると、まずその個人にとっての健康改善メニューとしては図１７に示すごとく食事、運動、睡眠で対応できることがサーバ１１のメモリー１４に蓄積された個人のデータに基づきサーバ１１の制御部１３が判定し、それが生活習慣病改善支援装置１の制御部３に伝達され、その結果としてこの制御部３は表示部２に図１７に示す表示をすることになっている。この図１７において、理解されることは、この個人にとっては例えば高血圧症のリスクを低減するために選択できる健康改善メニューとして食事コース、運動コース、睡眠コースの３つが選択できることが表示されている。そこで、その個人が自ら運動コースを選択すべく操作部２７にタッチすると、次に制御部３は表示部２に図１８に示す表示をすることになる。ここで、その対応として、運動１ヶ月コース、運動３ヶ月コース、運動６ヶ月コースが表示されているのであるが、この図１８において操作部２８ａとして表示されている１ヶ月コースは網掛け状態（輝度を低くした状態）となっている。
【００５１】
すなわち、本実施形態においては、制御部３に入力部である各種操作部から入力された生体情報及び前記状態確認部から入力された生活習慣情報に基づきその特定個人に対する複数の健康改善メニューを、表示部２に例えば図１８のごとく表示させるとともに、これら複数の健康改善メニュー中にこの個人にとって非推薦となる健康改善メニュー（１ヶ月コース）、すなわち非推薦健康改善メニューが存在する場合には、この非推薦健康改善メニューを、非推薦健康改善メニュー表示とする構成としたものであるので、その個人にとって取り組み難い健康改善メニューが選択されることはなく、その結果として生活改善が効果的に実行できるようになるのである。
【００５２】
このように１ヶ月コースが非推薦健康改善メニューとなるのはその個人に対する過去の蓄積データから実現不可能な歩行歩数となった場合であり、このときにはこの１ヶ月コースは上述のごとく非推薦状態として網掛け状態となる。従って、その個人としては実現可能な３ヶ月コース或いは６ヶ月コースを選択することで実現可能で長期間継続できる健康改善メニューを実行することができるようになるのである。なお、この実施形態では歩行に関する１ヶ月コースが非推薦の状態として説明されたが、例えば、図１７において運動コース自体が非推薦となる場合にはこの図１７における操作部２７部分が非推薦として網掛け状態となる。そこで、その場合には、その個人としては食事コース又は睡眠コースによって生活改善を図るプログラムを実行することになるのである。
【００５３】
いずれにせよ、生活習慣病改善は継続することが重要でそのためにはサーバ１１は設定された時刻に昨日の結果を送信することが可能な状態となっている。すなわち、図１の操作部４で午前８時を設定すると、制御部３はサーバ１１に昨日の歩行記録を取得することになる。それに先立ち、この午前８時になると制御部３は図２０に示すごとく昨日の記録を確認するための操作部４９を表示させるので、これで「はい」にタッチすればネットワーク通信部１０を介して昨日のデータが取得され、その結果として制御部３は表示部２に図２１又は図２２に示す表示をすることになる。つまり、図２１は目標が達成できたことをともに喜ぶ表示となっており、また、図２２は目標を達成することができなかったことを悔やむ表示となっている。これらの状態を毎日確認し、継続することが生活習慣病の改善のためには極めて重要なものとなるのである。
【００５４】
（実施の形態１の変形例）
実施の形態１では、図１７に示すように、健康改善メニューとして選択できる生活習慣改善項目を表示部２へ表示し、使用者に選択させる。そして、その生活習慣改善項目において、個人の生体情報に関する目標値（例えば平均値）までリスクを低減するために必要なパラメータ、例えば運動量と期間を算出して健康改善メニューを決定した。しかし、予め使用者が目標値を達成するための期限（目標日付）を設定し、健康改善メニューはその目標日付までに目標値を達成できるメニューとしてもよい。
【００５５】
もう少し具体的に説明すると、例えば、図２８を用いて説明した動作フローのステップS１において、制御部３は表示部２にコース選択画面ではなく目標日付の入力を促す画面を表示する。すなわち、日付の入力を行う画面を表示する。この状態で、使用者はタッチ操作を行って、生体情報の目標値を達成したい日付を入力する。すると制御部３はこの入力を受け付け、ネットワーク通信部１０を介してサーバ１１に目標日付を送信する。サーバ１１は、個人の生体情報に関する目標値（例えば平均値）までリスクを低減するために必要なパラメータを図２６のフローにおいて疾患リスクを算出した算出式を逆算して算出する。このリスクを低減するために必要なパラメータは年齢、性別、身長といった変更が困難な項目ではなく、例えば、体重、血圧、喫煙の有無など変更が可能な項目を抽出し、この抽出した項目について、目標値を達成するために必要な変化量を算出する。さらに、本人過去データを分析し、各項目とその各項目に作用する生活習慣、例えば、体重という項目と体重に作用する運動量の関係からリスク低減目標の達成が可能か否か及びリスク低減目標を設定した目標日付までに達成するために必要な生活習慣の変化量を判定し、その結果をネットワーク通信部１２を介して生活習慣病改善支援装置１に返送することになる。より具体的には、個人の生体情報と目標値との差分を算出し、本人過去データを参照して目標日付までの期間にその差分を達成しているか否かでまず達成可能な目標か否かを判断する。また、その生体情報の目標を達成した実績がある場合は、その差分を達成したときの生活習慣の変化量を算出する。このとき、生活習慣は例えば食事、運動、睡眠などが挙げられ、目標を達成した実績があるそれぞれの生活習慣改善項目において、生活習慣改善項目の変化量を算出する。この変化量から健康改善メニューを決定する。
【００５６】
なお、特定の個人の過去のデータが蓄積されていない場合には、図８に示す個人のデータと類似する他人のデータを参照して健康改善メニューを算出することになる。他人のデータはサーバ１１のメモリー１４に保存されている。サーバ１１は複数の生活習慣病改善支援装置１と接続し、複数の個人のデータをメモリー１４へ保存している構成としてもよい。また、サーバ１１ではなく生活習慣病改善支援装置１において算出処理されてもよい。この場合、本人の過去データはメモリー９又は制御部３と接続する外部のメモリー（図示せず）に保存されており、制御部３が処理を行うこととなる。また、複数の他人のデータもメモリー１４へ保存しておいてもよい。
【００５７】
健康改善メニューが決定すると、生活習慣病改善支援装置１の制御部３は、ネットワーク通信部１０を介してサーバ１１からのデータを受付け、その結果として表示部２には例えば食事コース、運動コース、睡眠コースを表示させることになる。なお、食事コース、運動コース、睡眠コースとはリスク低減目標を達成するための健康改善メニューを表すもので、この生活習慣改善項目は一例であって食事、運動、睡眠に限られない。
【００５８】
ここで、健康改善メニューのうち、本人過去データから目標を達成した実績がないメニューについては、網掛け状態（輝度を低くした状態）とし、その個人にとっては非推薦の健康改善メニューであることを表示する。これにより、一般に目標を達成できる健康改善メニューを表示しつつ、その個人にとって実施実績がある健康改善メニューを区別して表示することでいずれの健康改善メニューがその個人として取り組みやすいメニューであるかをわかりやすくすることができる。
【００５９】
なお、本発明は、上述した実施形態に限定されるものではなく、適宜、変形、改良、等が可能である。その他、上述した実施形態における各構成要素の材質、形状、寸法、数値、形態、数、配置箇所、等は本発明を達成できるものであれば任意であり、限定されない。
【産業上の利用可能性】
【００６０】
以上のように本発明は、前記制御部は前記入力部から入力された生体情報及び前記状態確認部から入力された生活習慣情報に基づきその特定個人に対する複数の健康改善メニューを前記表示部に表示させるとともに、これら複数の健康改善メニュー中にこの個人にとって非推薦となる健康改善メニューが存在する場合には、この非推薦健康改善メニューを、非推薦健康改善メニュー表示とする構成としたものであるので、その個人にとって取り組み難い健康改善メニューが選択されることはなく、その結果として生活改善が効果的に実行できるようになるのである。
【００６１】
従って、生活習慣病改善支援装置とそれを用いた生活習慣病改善支援システムとしての活用が期待されるものとなる。
【符号の説明】
【００６２】
１    生活習慣病改善支援装置（携帯端末）
２    表示部
３    制御部
４    操作部
５    カメラ
６    加速度センサ
７    マイク
８    機器通信部
９    メモリー
１０  ネットワーク通信部
１１  サーバ
１２  ネットワーク通信部
１３  制御部
１４  メモリー
１５  操作部
１６  通信部
１７  外部サーバ
１８  電源スイッチ
１９  操作部
１９ａ  操作部
２０  操作部
２１  疾病リスク確認キー
２２  日常チェック確認キー
２３  健康プログラム確認キー
２４  操作部
２５  操作部
２６  操作部
２７  操作部
２８  操作部
２８ａ  操作部
２９  操作部
３０  操作部
３１  操作部
３２  操作部
３３  操作部
３４  操作部
３５  操作部
３６  操作部
３７  操作部
３８  操作部
３９  操作部
４０  操作部
４１  操作部
４２  操作部
４３  操作部
４４  操作部
４５  操作部
４６  操作部
４７  操作部
４８  操作部
４９  操作部
【図１】
2015026364.tif 000003
【図２】
2015026364.tif 000004
【図３】
2015026364.tif 000005
【図４】
2015026364.tif 000006
【図５】
2015026364.tif 000007
【図６】
2015026364.tif 000008
【図７】
2015026364.tif 000009
【図８】
2015026364.tif 000010
【図９】
2015026364.tif 000011
【図１０】
2015026364.tif 000012
【図１１】
2015026364.tif 000013
【図１２】
2015026364.tif 000014
【図１３】
2015026364.tif 000015
【図１４】
2015026364.tif 000016
【図１５】
2015026364.tif 000017
【図１６】
2015026364.tif 000018
【図１７】
2015026364.tif 000019
【図１８】
2015026364.tif 000020
【図１９】
2015026364.tif 000021
【図２０】
2015026364.tif 000022
【図２１】
2015026364.tif 000023
【図２２】
2015026364.tif 000024
【図２３】
2015026364.tif 000025
【図２４】
2015026364.tif 000026
【図２５】
2015026364.tif 000027
【図２６】
2015026364.tif 000028
【図２７】
2015026364.tif 000029
【図２８】
2015026364.tif 000030